(57)【要約】【課題】  冷却手段で発生する騒音を効果的に抑制できて、なおかつ不使用時には、小型で取り扱い易くする。【解決手段】  ケース３が投写手段や冷却手段を内蔵した装置本体２に対して移動可能であり、液晶プロジェクタ１の不使用時では、図７（ｂ）に示すように、ケース３が装置本体２を収納することにより、小型になるし、また、装置本体２に設けられた吸気孔１６ａ，１６ｂがケース３によって閉鎖され、ケース３に設けられた排出用通風孔１０が装置本体によって閉鎖される。使用時には、図７（ａ）に示すように、ケース３に対して装置本体２の一部が突き出ることにより、吸気孔１６ａ，１６ｂが開放され、また、排出用通風孔１０は、開放されるとともに、送風ファン２８からの距離が遠くなって、排出用通風孔１０から放出される騒音による影響が低減される。【選択図】        図７
2005092098.tif 000002
【特許請求の範囲】
【請求項１】
投写手段と冷却手段とを内蔵し該冷却手段の吸気口と排気口とを有する装置本体と、該装置本体を収納し該装置本体に対して移動可能なケースとから構成されて、該投写手段によって映像を投写する使用状態のときに該装置本体の前面部側を該ケースの前端部開口から突出させ、不使用状態のときに該装置本体を、該前面部側も含めて、該ケース内に収納させる手段を備えており、
該ケースに、該不使用状態のときに、該吸気口と該排気口とを閉鎖し、該使用状態のときに、該吸気口と該排気口とを開放して外部に連通させる手段を設けたことを特徴とする液晶プロジェクタ。
【請求項２】
請求項１において、
前記吸気口は前記装置本体の底面に、前記排気口は前記装置本体の後部に夫々設けられ、
前記吸気口を閉鎖，開放する手段は、前記ケースの底面に設けられた吸込用通風孔であって、前記使用状態のときに前記吸気口と合致し、前記不使用状態のときに前記吸気口からはずれ、
前記排気口を閉鎖，開放する手段は、前記ケースの上面側に設けられた排出用通風孔であって、前記不使用状態のときに前記装置本体によって閉鎖され、前記使用状態のときには、前記装置本体による閉鎖が解除されて開放することを特徴とする液晶プロジェクタ。
【請求項３】
請求項１または２において、
前記排出用通風孔は、前記ケースの上面の背面側，側面の背面側，もしくは背面に設けられ、
前記吸込用通風孔は、前記ケースの底面の前面側に設けられたことを特徴とする液晶プロジェクタ。
【請求項４】
投写手段と冷却手段とを内蔵し該冷却手段の吸気口と排気口とを有する装置本体と、該装置本体を収納し該装置本体に対して移動可能なケースとから構成されて、該投写手段によって映像を投写する使用状態のときに該装置本体の前面部側を該ケースの前端部開口から突出させ、不使用状態のときに該装置本体を、該前面部側が該ケースの該前端部開口の面とほぼ一致するように、該ケース内に収納させる手段を備えており、
該ケースに、該ケースの一方の側面の一部から底面を通して他方の側面の一部までを切り欠いてなる切欠部を設け、
該装置本体に、該切欠部に嵌合し、かつ該ケースの該装置本体に対する移動とともに該切欠部にそって移動する嵌合部を設け、
該吸気口は、該不使用状態のときには、該切欠部からはずれた該ケース内の位置にあり、該使用状態のときには、該切欠部での該嵌合部によって閉鎖されない位置にあるように、該装置本体に設けられ、
該ケースに、該不使用状態のときには、該排気口を外部から閉鎖し、該使用状態のときには、該排気口を開放して連通させる排出用通風孔を設けたことを特徴とする液晶プロジェクタ。
【請求項５】
投写手段と冷却手段とを内蔵し該冷却手段の吸気口と排気口とを有する装置本体と、
該装置本体を収納し該装置本体に対して移動可能なケースと
該投写手段によって映像を投写する使用状態のときに該装置本体の前面部側が該ケースの前端部開口から突出し、不使用状態のときに該装置本体が、該前面部側を含めて、該ケース内に収納させる手段と、
該装置本体の前面部に設けられ、該不使用状態のときには、該ケースとともに該装置本体を封鎖するケース部と、
とを有し、
該装置本体の該吸気口は、該使用状態のときに該ケースの前端部開口から突出する該前面部側に設けられ、
該ケースに、該不使用状態のとき、該装置本体の該排気口を閉鎖し、該使用状態のとき、該排気口を外部に連通させる排出用通風孔を設けたことを特徴とする液晶プロジェクタ。
【請求項６】
筐体内に投写手段と冷却手段とを内蔵し、該筐体に該冷却手段の吸気口と排気口とが設けられた液晶プロジェクタであって、
該筐体の外面に、該排気口に連通して、該排気口から排気される空気を外部に排出するダクトを設け、
該ダクトの端部の開口を、該投写手段による映像の投写のための開口が設けられた該筐体の前面側に向けたことを特徴とする液晶プロジェクタ。
【請求項７】
請求項６において、
前記ダクトは、前記ケース内に押し込み可能に構成したことを特徴とする液晶プロジェクタ。
【請求項８】
投写手段と冷却手段とを内蔵し、該冷却手段の吸気口と排気口とを有する装置本体と、
該装置本体を収納し該装置本体に対して移動可能なケースと
該投写手段によって映像を投写する使用状態のときに該装置本体の底面部側が該ケースの下端部開口から突出し、不使用状態のときに該装置本体が、該底面部側を含めて、該ケース内に収納させる手段と、
とを有し、
該装置本体の該吸気口は、該使用状態のときに該ケースから突出する該底面部側に設けられ、
該ケースに、該不使用状態のとき、該装置本体の該排気口を閉鎖し、該使用状態のとき、該排気口を外部に連通させる排出用通風孔を設けたことを特徴とする液晶プロジェクタ。
【請求項９】
投写手段と冷却手段とを内蔵した装置本体と該装置本体を収納し該装置本体に対して移動可能なケースとから構成され、該投写手段によって映像を投写する使用状態のときに該装置本体の前面部側を該ケースの前端部から突出させ、不使用状態のときに該装置本体を、該前面部側も含めて、該ケース内に収納させる手段を備えた液晶プロジェクタであって、
該装置本体の底面の前面側で、該装置本体から出し入れ可能な姿勢調整用脚と、
該姿勢調整用脚をロックまたはロック解除するロック機構と、
押圧操作により、該ロック機構を動作させて該姿勢調整用脚のロック状態を解除させる解除ボタンと
を設け、
該解除ボタンは、該使用状態のとき、該ケースによって押圧され、該不使用状態のとき、該ケースによる押圧が解除されるように、該装置本体に設けられていることを特徴とする液晶プロジェクタ。
【発明の詳細な説明】
【技術分野】
【０００１】
本発明は、冷却手段を内蔵し、かつこの冷却手段の送風ファンによる騒音が低減された液晶プロジェクタに関する。
【背景技術】
【０００２】
液晶パネルに映出された映像をスクリーンに拡大投写する液晶プロジェクタでは、高輝度の投写映像が得られるようにするため、液晶パネルの照明光源として高照度の高圧放電ランプが用いられる。このランプからは強度の熱放射も行なわれ、このため、ランプ近傍や液晶パネルが高温となり、さらには、液晶プロジェクタの筐体（以下、装置筐体という）内部が高温となって、各構成部材の特性に悪影響を及ぼすことになる。このため、かかる装置筐体内には、送風ファンを含む冷却手段が設けられており、かかる冷却手段により、送風ファンでもって外部から冷気を取り込み、これを装置筐体内に通して外部に排気し、装置筐体内に生じた熱を外部に放出するようにしている。
【０００３】
ところで、かかる冷却手段を装置筐体内に設けると、送風ファンが空気を切る音やこの送風ファンを駆動するモータの回転音などが、騒音として、装置筐体に設けられた空気の排気口から外部に放出され、液晶プロジェクタの使用中に騒音が発生するという問題があった。このために、従来、かかる騒音を防止する方法が種々提案されている。
【０００４】
その１つの方法として、装置筐体内での送風ファンの位置を所定に設定して空気の吸気口や排気口から排出される騒音を低減しようとするものである（例えば、特許文献１参照）。
【０００５】
これは、従来、吸気用のファンや排気用のファンは夫々吸気口，排気口の近くに設置されていたが、これらを吸気口や排気口から所定距離（例えば、かかる送風ファンの回転部の直径の０．４倍以上）離して設置するものである。さらには、吸気口と吸気用ファンとの間や排気口と排気用ファンとの間にダクトを設け、このダクトの内面に吸音材を設けるなどして、さらに、騒音を低減するようにしている。
【０００６】
また、提案される他の方法としては、装置筐体に設けられた空気の排気口から騒音を排出させるものであるが、その排出方向を任意に設定できるようにしたものである（例えば、特許文献２参照）。
【０００７】
これは、装置筐体の外面の排気口にダクトを設けるものであって、このダクトの先端の向きを変えることができるようにしたものである。従って、このダクトの先端を観客がいない方向に向けることにより、排気がその方向になされるとともに、騒音もその方向に排出され、顧客が騒音に煩わされることがなくなるというものである。
【特許文献１】特開２００２ー４０５６２
【特許文献２】特開２０００ー６６３０６
【発明の開示】
【発明が解決しようとする課題】
【０００８】
上記特許文献１に記載の技術では、送風ファンからの騒音を低減できるものの、かかる送風ファン、即ち、吸気用のファンや排気用のファンが装置本体の空気口や排気口から所定の距離離れて配置されるものであるから、装置筐体内に吸気口が設けられた内面側に吸気用のファンと吸気口との間の間隔のスペースが生ずるし、また、排気口が設けられた内面側にも、排気用のファンと排気口との間の間隔のスペースが生ずることになる。かかるスペースは騒音防止のためだけに設けられるものであって、この騒音防止のために、装置筐体が大型化されてしまうことになる。このため、特に、かかる液晶プロジェクタを不使用時に収納する場合には、より大きな収納場所を必要とするし、また、嵩張ったものとなって持ち運びに不便なものとなる。
【０００９】
また、上記特許文献２に記載の技術では、装置筐体そのものを大型化せずに、騒音を防止できるものであるが、装置筐体に突出した形態でダクトが取り付けられていることになるから、やはりかかる液晶プロジェクタを収納したり、持ち運んだりする場合に、このダクトが邪魔となって不便なものとなる。
【００１０】
本発明の目的は、かかる問題を解消し、冷却手段で発生する騒音を効果的に抑制でき、小型化できて取り扱い易い液晶プロジェクタを提供することにある。
【課題を解決するための手段】
【００１１】
上記目的を達成するために、本発明は、投写手段と冷却手段とを内蔵しこの冷却手段の吸気口と排気口とを有する装置本体と、装置本体を収納し装置本体に対して移動可能なケースとから構成されて、投写手段によって映像を投写する使用状態のときに装置本体の前面部側をケースの前端部開口から突出させ、不使用状態のときに装置本体を、前面部側も含めて、ケース内に収納させる手段を備えており、ケースに、不使用状態のときに、吸気口と排気口とを閉鎖し、使用状態のときに、吸気口と排気口とを開放して外部に連通させる手段を設けたものである。
【００１２】
そして、吸気口は装置本体の底面に、排気口は装置本体の後部に夫々設けられ、吸気口を閉鎖，開放する手段は、ケースの底面に設けられた吸込用通風孔であって、使用状態のときに吸気口と合致し、不使用状態のときに吸気口からはずれ、排気口を閉鎖，開放する手段は、ケースの上面側に設けられた排出用通風孔であって、不使用状態のときに装置本体によって閉鎖され、使用状態のときには、装置本体による閉鎖が解除されて開放するものである。
【００１３】
また、装置本体の底面の前面側で、装置本体から出し入れ可能な姿勢調整用脚と、姿勢調整用脚をロックまたはロック解除するロック機構と、押圧操作により、このロック機構を動作させて姿勢調整用脚のロック状態を解除させる解除ボタンとを設け、解除ボタンは、使用状態のとき、ケースによって押圧され、不使用状態のとき、ケースによる押圧が解除されるように、装置本体に設けられているものである。
【発明の効果】
【００１４】
本発明によると、少なくとも不使用時では、装置全体を小型にできて取り扱いが容易なものとなり、しかも、装置内冷却のために設けられた通気孔から放出される騒音の影響を低減することができる。
【発明を実施するための最良の形態】
【００１５】
以下、本発明の実施形態を図面を用いて説明する。  
図１は本発明による液晶プロジェクタの第１の実施形態を示す正面斜視図であって、同図（ａ）は使用時の、また、同図（ｂ）は不使用時の夫々状態を示し、１はこの第１の実施形態の液晶プロジェクタ、２は装置本体、２ａは前面、２ｂは上面、２ｃは側面、３はケース、３ａは上面、４は投写レンズ、５はスタートボタン、６は操作キー、７はレンズ摘み、８は解除ボタン、９はくぼみ部、１０は排出用通風孔、１１は姿勢調整用脚である。
【００１６】
図１において、この液晶プロジェクタ１は装置本体２とケース３とから構成されており、装置本体２がケース３内に組み込まれ、装置本体２とケース３とが相対的に摺動可能に組み合わされた形態をなしている。
【００１７】
この液晶プロジェクタ１の使用時には、装置本体２の前面２ａ側の一部がケース３から露出した状態にあり、この装置本体２のケース３から突出した部分の上面２ｂには、スタートボタン５や操作キー６が設けられており、これにより、これらが操作可能な状態にある。なお、操作キー６は、その輪郭が円状をなし、その上面が装置本体２の上面２ｂと同一面上にあるが、そのほぼ半円部分がケース３の上面３ａの前縁部に形成された円状のくぼみ部９内に位置付けられている。即ち、このくぼみ部９が存在することにより、操作キー６の全体が外部に露出しており、その操作が可能となっている。
【００１８】
また、操作本体２の前面２ａの向かって右寄りに投写レンズ４が取り付けられたくぼみ部が設けられており、また、操作本体２の上面２ｂには、この投写レンズ４に対して焦点合わせやズーミングなどの操作を行なうためのレンズ摘み７が設けられたくぼみ部が形成されている。
【００１９】
さらに、装置本体２の側面２ｃのケース３から露出した部分には、後述するようにこの装置本体２の底面からケース３の底面を通して下方に突出した姿勢調整用脚１１のロックを解除するための解除ボタン８が設けられており、この側面２ｃに対向する他方側の図示しない側面にも、同様の解除ボタン８が設けられている。これら解除ボタン８を押し込むと、姿勢調整用脚１１がロック状態から開放され、後述する機構により、姿勢調整用脚１１が装置本体２からさらに突出しようとする。そこで、かかる解除ボタン８を押し込んだ状態で装置本体２をその上面２ｂ側から液晶プロジェクタの載置面に向かって押し込んだり、押し込みを緩めたりすることにより、液晶プロジェクタ１での装置本体２の前面２ａ側の高さを調整し、液晶プロジェクタ１の姿勢を調整することができる。また、装置本体２のいずれか一方の側面２ｃでの開放ボタン８を押し込んで上記の調整をすることにより、２つの姿勢調整用脚１１のいずれか一方だけについて、高さ調整をすることもでき、これに応じた姿勢を液晶プロジェクタ１が取ることができる。
【００２０】
なお、ケース３内にあるため、図示できないが、装置本体２の背面（前面２ａに対向する面）は、壁がなく、開放されている。
【００２１】
ケース３の上面３ａには、その背面（装置本体２の前面２ａに対向する側の面）側に、排出用通風孔１０が設けられている。
【００２２】
液晶プロジェクタ１のかかる状態で、装置本体２に対し、ケース３の背面側からこのケース３を矢印Ａ方向に押すと、装置本体２がケース３内に押し込まれていく。これとともに、装置本体２の両側面２ｃの解除ボタン８がケース３の内側面によって装置本体２内に押し込まれることになり、姿勢調整用脚１１のロックが解除される。そして、装置本体２がさらにケース３内に押し込まれていくとともに、ケース３の内底面によってこれら姿勢調整用脚１１が装置本体２内に押し込まれていき、図１（ｂ）に示すように、装置本体２全体がケース３内に挿入され、前面２ａのみが外部に曝された状態となる。この状態が液晶プロジェクタ１の不使用状態であり、図１（ａ）に示す使用状態に比べ、小型になる。
【００２３】
この不使用状態では、姿勢調整用脚１１（図１（ａ））は、ケース３により、装置本体２内に押し込まれた状態となり、装置本体２の上面２ｂに設けられたスタートボタン５のみがケース３の上面３ａに設けられたくぼみ部９から外部に曝されている。
【００２４】
このように、使用状態にあった液晶プロジェクタ１を片付けて持ち運んだり、収納したりする場合、装置本体２をケース３内に納めることにより、解除ボタン８がケース３で押し込まれて姿勢調整用脚１１がロック解除の状態になり、ケース３によってこの姿勢調整用脚１１が装置本体２内に収納される状態になり、また、使用状態にする場合には、スタートボタン５を操作するだけで、装置本体２がケース３から引き出され、これとともに、姿勢調整用脚１１が装置本体から出てくることになるので、これら姿勢調整用脚１１をしまい込んだり、引き出したりする作業が不要となり、扱い易いものとなる。
【００２５】
かかる不使用状態で装置本体２のスタートボタン５を押圧すると、液晶プロジェクタ１に電源が投入され、これとともに、装置本体２に対し、ケース３がその背面側の方向（矢印Ｂ方向）に移動する。このケース３の移動に伴って装置本体２の前面２ａ側がケース３から飛び出していく。この移動中も解除ボタン８はケース３のない側面で押された状態にあり、ケース３の内底面で装置本体２内にロックされていた姿勢調整用脚１１は、このケース３の内底面によるロックが解除され、装置本体２の底面からケース３の底面を通して外部に突出する。
【００２６】
ケース３の移動が終了したときには、装置本体２はケース３から許容される最大の飛び出し状態となっており、これが図１（ａ）に示す使用状態である。
【００２７】
図２はこの第１の実施形態の液晶プロジェクタ１を底面側から見た斜視図であって、２ｄは装置本体２の底面、３ｂはケース３の底面、１２は基準脚、１３は吸込用通風孔、１４は開口、１５は貫通孔、１６ａは吸気口であり、図１に対応する部分には同一符号を付けて重複する説明を省略する。
【００２８】
同図において、装置本体２の底面２ｄのケース３から飛び出した部分には、この装置本体２に内蔵される図示しない冷却手段の吸気口１６ａが設けられており、また、ケース３内にあるため、図示できないが、装置本体２の底面２ｄのケース３内にある部分にも、同様の吸気口（以下、この吸気孔を吸気口１６ｂという）が設けられている。
【００２９】
ケース３の底面３ｂには、その前縁部左右両側に夫々開口部１４が設けられており、液晶プロジェクタ１が、図示するように、使用状態にあるときには、これら開口１４を通して姿勢調整用脚１１が突出している。また、この底面３ｂに吸込用通風孔１３が設けられており、かかる使用状態では、装置本体２の底面２ｄに設けられてケース３内にある上記吸気口１６ｂと連通している。
【００３０】
そこで、かかる使用状態では、装置本体２内の図示しない冷却手段の送風ファンにより、装置本体２のケース３から露出した部分での吸気口１６ａから、また、ケース３の底面３ｂの吸込用通風孔１３と装置本体２の底面２ｄの図示しない上記吸気口１６ｂとの連通通路から、夫々装置本体２内に冷気が吸い込まれる。また、このときの装置本体２内の空気の排気は、装置本体２の開放されている背面側からケース３の上面３ａの排出用通風孔１０を通して行なわれる。
【００３１】
なお、液晶プロジェクタ１が図１（ｂ）に示す不使用状態にあるときには、装置本体２の底面２ｄに設けられている吸気口１６ａ，１６ｂはケース３によって閉鎖され、ケース３の上面３ａの排出用通風孔１０が装置本体２の上面２ｂによって閉鎖される。
【００３２】
また、ケース３の底面３ｂの背面側中央部に１つの貫通孔１５が設けられており、装置本体２の底面２ｄからこの貫通孔１５を通して基準脚１２が突出している。この基準脚１２の貫通孔１５からの突出高さは一定であり、このため、液晶プロジェクタ１の背面側の高さは、この基準脚１２により、一定に、例えば、液晶プロジェクタ１が姿勢調整用脚１１によってどのような姿勢に設定されていても、ケース３の底面３ｂが液晶プロジェクタ１が載置されている面に当たらない程度に保たれる。この基準脚１２は、液晶プロジェクタ１が使用状態にあるときには、図示するように、貫通孔１５から突出しているが、上記のように、装置本体２がケース３内に押し込まれるとともに、ケース３によって装置本体２内に押し込まれる。これにより、図１（ｂ）に示すような不使用状態では、姿勢調整用脚１１も、また、この基準脚１２も、ケース３の底面３ｂから突出していない。
【００３３】
図３はこの第１の実施形態の液晶プロジェクタ１を背面側から見た斜視図であって、３ｃはケース３の背面、１８は各種コネクタ、１７はスライドドア、１９は電源コードであり、図１に対応する部分には同一符号を付けて重複する説明を省略する。
【００３４】
同図において、ケース３の背面３ｃ側には、スライドドア１７によって開閉可能な部位に電源や映像源などを接続するための各種コネクタ１８が設けられており、液晶プロジェクタ１の使用時、電源コード１９などを接続できるようになっている。不使用時には、この部位をスライドドア１７で閉じることにより、各種コネクタ１８が外部に露出したままとならないようにしている。
【００３５】
図４は図１〜図３に示す使用状態にある液晶プロジェクタ１をその上面側からみた平面図であって、６ａはジョグタイヤル、６ｂはカーソルキー、２０は映像源名、２１は透明カバーであり、前出図面に対応する部分には同一符号を付けて重複する説明を省略する。
【００３６】
同図において、操作キー６は、中心に配置される円板状のカーソルキー６ｂとその周りに配置される円環状のジョグダイヤル６ａとからなり、カーソルキー６ｂは、そこに上下左右を示す▲マークが設けられていて、これらマークのいずれかの部分を押圧操作をすることにより、映像が投写される図示しないスクリーン状のカーソルを上下左右に移動させるものである。また、ジョグダイヤル６ａはこの液晶プロジェクタ１の映像源を切り替え選択できるようにするためのものであり、その中心点を中心として矢印Ｃ，Ｃ’方向に回転操作することにより、所望とする映像源を選択し、そこからの映像を図示しないスクリーンに拡大投写させることができる。この選択のために、装置本体２の上面２ｂでのジョグダイヤル６ａの周りに、これら映像源を示す映像源名２０が表示されている。
【００３７】
図５は図４における操作キー６を含む破線で示す領域Ｐを拡大して示す図であって、図示するように、このジョグダイヤル６ａの周りにテレビやビデオ，パソコンなどの映像源の種類を表わす映像源名２０が表示されており、ジョグダイヤル６ａで選択された映像源名２０が、これに対して設けられているＥＬ（エレクトロルミネッセンス）素子など表示素子が点灯することにより、照明され、この照明カーソル２２によって明示される。従って、ジョグダイヤル６ａを回転操作すると、これにつれて照明カーソル２２が移動し、ジョグダイヤル６ａの操作を終ると、そのときの映像源名２０の位置に照明カーソル２２が停止して、この映像源名２０が選択されたことが示される。
【００３８】
図４に戻って、装置本体２のケース３から飛び出した部分の上面２ａに透明カバー２１がこの上面２ｂから取外し可能に設けられており、この透明カバー２１と上面２ｂとの間に、映像源名２０などの文字列や模様，図形，写真といった飾りとが印刷されたシートが嵌め込まれている。勿論、これら透明カバー２１とシートには、レンズつまみ７の部分と操作キー６の部分，スタートボタン５の部分が除かれており、これらが操作し易いようにしている。かかるシートは、透明カバー２１を上面２ａから取り外すことにより、交換することができ、これにより、装置本体２の上面２ｂ部分の飾りを変えることができる。
【００３９】
図６は前出図面で示すこの第１の実施形態の液晶プロジェクタ１の概略的な内部構成の一具体例を示す水平断面図であって、２３は高圧放電ランプ、２４はコリメートレンズ、２５は光路、２６Ｒ，２６Ｇ，２６Ｂは液晶パネル、２７はダイクロイックプリズム、２８は冷却手段の送風ファンであり、前出図面に対応する部分には同一符号を付けて重複する説明を省略する。
【００４０】
同図において、装置本体２には、投写機構やその冷却手段が設けられている。投写機構は、照明光源としての高圧放電ランプ２３と、この高圧放電ランプ２３からの白色光を平行光にするコリメートレンズ２４と、Ｒ（赤色）用映像を映出する液晶パネル２６Ｒと、Ｇ（緑色）用映像を映出する液晶パネル２６Ｇと、Ｂ（青色）用映像を映出する液晶パネル２６Ｂと、コリメートレンズ２４からの平行光をＲ，Ｇ，Ｂの原色光に分離し、夫々液晶パネル２６Ｒ，２６Ｇ，２６Ｂに導く光路２５と、液晶パネル２６Ｒ，２６Ｇ，２６Ｂの映像で変調されたＲ，Ｇ，Ｂ映像光を合成し、カラー映像光を生成するダイクロイックプリズム２７と、このカラー映像光が入射され、図示しないスクリーン上にカラー映像を拡大投写する投写レンズ４とで構成されている。
【００４１】
また、冷却手段は、液晶プロジェクタ１が使用状態にあるとき、送風ファン２８が回転させることにより、吸気口１６ａ，１６ｂが冷気を装置本体２内に吸い込み、投写機構の周りなどを通して装置本体２の開口状態となっている背面で装置本体２から排出し、さらに、ケース３の上面に設けられた排出通風孔１０から外部に排出する。これにより、高圧放電ランプ２３や液晶パネル２６Ｒ，２６Ｇ，２６Ｂなどの発熱体などで放出される熱が空気によって吸収され、この空気とともに排出通風孔１０から外部に放出されることになり、装置本体２内が冷却される。なお、この図６における送風ファン２８の設置位置は仮に示すものであって、かかる設置位置は適宜決められるものである。
【００４２】
図７はこの第１の実施形態の使用時と不使用時とでのケース３内における送風ファン２８の位置を比較して示す図であって、同図（ａ）は図１（ａ），図２と同じ使用時での縦断面図、同図（ｂ）は図１（ｂ）と同じ不使用時での縦断面図であり、２ｅは装置本体２の後部（背面側）である。また、前出図面に対応する部分には同一符号を付けて説明を省略する。なお、装置本体２については、その要部の構成のみを示している。また、排出通風孔１０や吸気孔１６ａ，１６ｂ、吸入通風孔１３は多数の貫通孔の配列からなるものであるが、ここでは、これらが明確に分かるようにするために、夫々１つの大きな貫通孔として描いている。
【００４３】
図７（ａ）に示す使用時では、装置本体２の前面２ａ側がケース３から突出することにより、装置本体２の底面２ｄに設けられている吸気口１６ｂがケース３の底面３ｂに設けられている吸入通風孔１３と連通し、通風ファン２７の回転により、破線矢印で示すように、これら吸入通風孔１３と吸気口１６ｂとを通して外部から装置本体２内に冷気が吸い込まれる。
【００４４】
また、装置本体２の後部２ｅは、ほとんど遮蔽されておらず、開放されており、また、ケース３の上面３ａに設けられている排出通風孔１０も開放されている。このため、通風ファン２７で吸い込まれた冷気は、上記のように、装置本体２内で発生する熱を吸収し、破線矢印で示すように、装置本体２の後部２ｅで装置本体２から排出され、さらに、ケース３の排出通風孔１０から外部に排出される。
【００４５】
図７（ｂ）に示す不使用時では、装置本体２がケース３内に押し込められた状態にある。これにより、装置本体２の吸気口１６ａ，１６ｂはケース３の底面３ｂによって閉鎖され、また、ケース３の吸入通風孔１３，排出通風孔１０も夫々、装置本体２の底面２ｄ，上面２ｂによって閉鎖される。
【００４６】
ここで、図７（ａ），（ｂ）の状態を比較する。いま、図７（ｂ）に示す不使用状態での送風ファン２８とケース３の排出通風孔１０との間の距離をＬとし、図７（ａ）において、ケース３からの装置本体２の突出距離をΔＬとすると、図７（ａ）に示す使用状態での送風ファン２８とケース３の排出通風孔１０との間の距離はＬ＋ΔＬとなり、この送風ファン２８は、不使用時よりも、さらに距離ΔＬだけ排出通風孔１０から離れることになる。これにより、排出通風孔１０から放出される送風ファン２８の回転による騒音を低減することができる。
【００４７】
なお、冷気の吸入側については、吸気口１６ａ，１６ｂや吸入通風孔１３が液晶プロジェクタ１の底面側に設けられているため、これらから出る騒音の影響は小さい。
【００４８】
また、不使用時には、図７（ｂ）に示すように、装置本体２全体がケース３内に押し込まれるので、液晶プロジェクタ１全体が、使用時よりも、小型になり、嵩張らずに持ち運びや収納時に便利なものとなる。
【００４９】
さらに、不使用時には、装置本体２内が外気から遮断されるため、液晶プロジェクタ１を持ち運ぶときの周囲の環境や収納場所での周囲環境にかかわらず、この液晶プロジェクタ１を湿気や埃などから保護することができる。
【００５０】
このように、この第１の実施形態では、使用時には、送風ファン２８によって生ずる騒音を、この送風ファン２８と外部への排出通風孔１０との距離を大きくして、効果的に低減できるし、不使用時には、液晶プロジェクタ１全体を小型化して持ち運びや収納し易いものとするとともに、外部からの湿気や埃などの侵入を有効に防止できる。
【００５１】
以上の第１の実施形態では、外部からの冷気の吸入を底面の前面側で行ない、排出を上面の背面側で行なうようにしたものであるが、図８はこれ以外の吸気位置と排気位置の他の具体例を模式的に示す斜視図である。なお、ここでは、液晶プロジェクタ１に関して吸気位置，排気位置を矢印で示し、１ａは液晶プロジェクタ１の前面、１ｂは同じく上面、１ｃは同じく背面、１ｄは同じく側面、１ｅは同じく底面である。
【００５２】
図８（ａ）は前面１ａ側から吸気する具体例を示すものであって、排気は背面１ｃ側から（Ａ−１）、上面１ｂでの背面１ｃに近い側から（Ａ−２）、あるいは側面１ｄでの背面１ｃに近い側から（Ａ−３）、排気を行なう。
【００５３】
図８（ｂ）は底面１ｅ側から吸気する具体例を示すものであって、前面１ａ側から（Ｂ−１：この場合には、吸気は底面１ｅでの背面１ｃに近い側から行なう）、背面１ｃ側（Ｂ−２：この場合には、吸気は底面１ｅでの前面１ａに近い側から行なう）から、あるいは側面１ｄ側から（Ｂ−３：この場合、吸気と排気とは、一方が前面１ａに近い側のときには、他方は背面１ｃに近い側とする）、夫々排気を行なう。
【００５４】
図８（ｃ）は背面１ｃ側から吸気する具体例を示すものであって、前面１ａ側から（Ｃ−１）、上面１ｂでの背面１ｃに近い側から（Ｃ−２）、あるいは側面１ｄでの背面１ｃに近い側から（Ｃ−３）、夫々排気を行なう。
【００５５】
これらいずれの具体例も、前出図面に示した装置本体とケースとからなる構成をなすものである。従って、図８（ａ）に示す各具体例Ａ−１〜Ａ−３や図８（ｂ）に示す具体例Ｂ−２，Ｂ−３では、使用時、送風ファンと排出通風孔との間の距離が広がり、図８（ｂ）に示す具体例Ｂ−１や図８（ｃ）に示す具体例Ｃ−１〜Ｃ−３は、送風ファンと吸入通風孔との間の距離が広がる。これにより、これら排出通風孔や吸入通風孔からの騒音が低減される。
【００５６】
なお、図８（ａ）に示す具体例Ａ−１〜Ａ−３では、吸気口と送風ファンとの間の距離が、図８（ｂ）に示す具体例Ｂ−１や図８（ｃ）に示す具体例Ｃ−１では、排気口と送風ファンとの間の距離が、液晶プロジェクタ１の使用時と不使用時とで変わりはない。しかし、これら吸気口や排気口は液晶プロジェクタ１の前面１ａ側にあり、これから放出される騒音はスクリーン側に向かうため、スクリーンの観視者に対する影響は低減される。
【００５７】
また、図８（ｃ）に示す具体例Ｃ−２，Ｃ−３では、液晶プロジェクタ１の内部に、投写手段を効果的に冷却するように、吸い込まれた空気を循環させる通風路が形成されており、液晶プロジェクタ１の背面１ｃ側の吸入通風孔から吸入された冷気がこの通風路を通り、これによって熱を吸収した空気が液晶プロジェクタ１の上面１ｂあるいは側面１ｄの背面１ｃ側に設けられた排出通風孔から排出される。この場合、少なくとも吸入通風孔側に吸気用ファンが、また、排出通風孔側に排気用ファンが設けられて空気の流れを円滑にするが、これらファンは液晶プロジェクタ１の装置本体に設けられており、使用時に、上記のように、装置本体がケースに対して移動してこの装置本体の一部がケースから突出するようにされるものであるから、吸込通風孔から吸気用ファンまでの距離、排出通風孔から排気用ファンまでの距離が夫々長くなり、これら吸込通風孔や排出通風孔からの騒音を低減できる。また、不使用時の液晶プロジェクタ１の小型化や排出通風孔の閉鎖も達成できる。
【００５８】
さらに、図８（ａ）に示す具体例Ａ−１や図８（ｂ）に示す具体例Ｂ−２の場合、装置本体２の後部２ｅ（図７）でのケース３の背面に設けられた排出通風孔に対向する部分に遮蔽部を設け、それ以外の部分を開放して排気孔とし、図７（ｂ）に示すような不使用状態では、この遮蔽部によってこの排出通風孔を塞ぐようにする。これにより、不使用時でのこの排出通風孔からの湿気や埃などの侵入を防止することができる。このことは、図８（ｃ）に示す具体例Ｃ−１〜Ｃ−３についても同様であり、不使用時でのケースの背面に設けられた吸入通風孔からの湿気や埃などの侵入を防止することができる。
【００５９】
図９は図２に示す姿勢調整用脚１１の取付機構の一具体例を示す構成図であって、２９は本体固定部、２９ａ，２９ｂは保持部、３０は貫通穴、３１はスクリューシャフト、３２は保持部材、３３は圧縮バネ、３４はロック部材、３４ａは係合部、３５は連結シャフト、３６は圧縮バネ、３７は保持部材であり、前出図面に対応する部分には同位置符号を付けて重複する説明を省略する。また、Ｘ方向は図２に示す液晶プロジェクタ１の長手方向（ケース３に対する装置本体２の移動方向）、Ｙ，Ｙ’方向は同じく左右幅方向、Ｚ，Ｚ’方向は同じく上下の厚み方向である。
【００６０】
同図において、本体固定部２９は、装置本体２内に固定されているものであって、両端部が折れ曲がってコ字状をなし、これら両端部がスクリューシャフト３０を保持する保持部２９ａ，２９ｂをなしている。これら保持部２９ａ，２９ｂは、貫通穴３０を有しており（保持部２９ｂでは、図示していない）、上下方向（Ｚ方向）に配置されている。ここで、保持部２９ａは装置本体２の上面２ｂ側に、保持部２９ｂは同じく底面２ｄ側に夫々配置されている。そして、これら貫通穴３０にスクリューシャフト３１が通されており、これにより、このスクリューシャフト３１が、その長手方向をＺ，Ｚ’方向とし、かつ上下方向（Ｚ，Ｚ’方向）に移動可能に、保持部２９ａ，２９ｂによって保持されている。
【００６１】
このスクリューシャフト３１は、その保持部２９ｂ側の端部が姿勢調整用脚１１に固定されており、また、保持部２９ａ，２９ｂ間に、例えば、円板状の保持部材３２がスクリューシャフト３１に固定して取り付けられている。
【００６２】
保持部材３２と保持部２９ａとの間には、圧縮バネ３３が設けられており、スクリューシャフト３１がこの圧縮バネ３３のほぼ中心軸を通るように、圧縮バネ３３が配置されている。ここで、圧縮バネ３３の一端は保持部２９ａに固定されているが、他端は保持部材３２に載置されているだけである。そして、かかる圧縮バネ３３により、保持部材３２が保持部２９ａから離れる方向に、従って、スクリューシャフト３１を介して姿勢調整用脚１１が保持部２９ｂから離れる方向（Ｚ方向とは反対のＺ’方向）に付勢される。
【００６３】
また、スクリューシャフト３１は、保持部２９ａ，２９ｂ間で枠状のロック部材３４を貫通している。このロック部材３４は、装置本体２に固定された保持部材３７の貫通穴を貫通した連結シャフト３５により、解除ボタン８と連結されている。これらロック部材３４，連結シャフト３５及び解除ボタン８はＹ，Ｙ’方向に配列され、一体となってＹ，Ｙ’方向に移動可能に取り付けられている。この連結シャフト３５は、図示しない軸受によって支持されており、従って、ロック部材３４と保持部２９ａ，２９ｂとの上下方向（Ｚ方向）の位置関係は固定されている。また、解除ボタン８と保持部材３７との間には、その中心線を連結シャフト３５が通るように、圧縮バネ３６が取り付けられており、この圧縮バネ３６により、解除ボタン８が保持部材３７から離れるＹ方向に付勢されている。
【００６４】
枠状のロック部材３４の内面のうち、連結シャフト３５の取付部に対向する内面に係合部３４ａが設けられており、圧縮バネ３６が自由な状態にあるときには、この圧縮バネ３６の付勢力により、ロック部材３４，連結シャフト３５及び解除ボタン８がＹ方向に最大限移動した状態にある。このとき、ロック部材３４の係合部３４ａはスクリューシャフト３１のねじ山の間の谷部に係合し、スクリューシャフト３１を本体固定部２９に対して固定した状態とする。これにより、姿勢調整用脚１１は、液晶プロジェクタ１に対してロックされた状態に保持される。また、解除ボタン８は、図４に示すように、装置本体２の側面２ｃから突出した状態にある。
【００６５】
かかる姿勢調整用脚１１のロック状態で解除ボタン８を押し込むと、圧縮バネ３６の付勢力に抗して連結シャフト３５とロック部材３４とがＹ方向と反対のＹ’方向に移動し、係合部３４ａがスクリューシャフト３１から外れる。これにより、圧縮バネ３３の付勢力によって保持部材３２が押され、スクリューシャフト３１、従って、姿勢調整用脚１１が保持部２９ｂから離れるＺ’方向に移動する。これにより、この姿勢調整用脚１１は、図２に示すように、液晶プロジェクタ１の底面から突出することになる。
【００６６】
また、液晶プロジェクタ１をテーブルなどの上に置くなどして姿勢調整用脚１１の上下位置を固定し、解除ボタン８を押し込んだ状態で（従って、ロック部材３４によるスクリューシャフト３１のロックは解除されている状態で）、液晶プロジェクタ１の前面側を上からＺ’方向に押し下げるようにすると、液晶プロジェクタ１の前面側がＺ’方向に降下することにより、装置本体２に固定されている本体固定部２９や保持部材３７がＺ’方向に降下し、これとともに、ロック部材３４，連結シャフト３５，圧縮バネ３６，解除ボタン８も降下する。また、本体固定部２９の降下に伴って、その保持部２９ａにより、スクリューシャフト３１に固定された保持部材３２に圧縮バネ３３が圧縮される。そして、解除ボタン８の押し込みを解除すると、ロック部材３４の係合部３４ａがスクリューシャフト３１の谷部に係合し、液晶プロジェクタ１の前面側がそのときのテーブルなどの載置面からの高さに設定される。
【００６７】
また、このように液晶プロジェクタ１を押し込んだ場合には、保持部材３２の高さが固定されていることから、圧縮バネ３３が圧縮されている。そこで、かかる状態で解除ボタン８を押し込むと、ロック部材３４の係合部３４ａがスクリューシャフト３１の谷部から外れる。このため、ロック部材３４によるロックが解除され、圧縮バネ３３の付勢力により、本体固定部２９などが、従って、液晶プロジェクタ１の前面側がＺ方向に持ち上げられることになる。
【００６８】
このようにして、解除ボタン８の操作と液晶プロジェクタ１の前面部の載置面への押し下げ操作とにより、この前面部の高さを調整することができる。また、図２に示すように液晶プロジェクタ１の底面の前面側幅方向両側に設けられている姿勢調整用脚１１は、図４に示すように夫々毎に解除ボタン８が設けられているので、夫々毎に独立に液晶プロジェクタ１の底面からの突出高さを調整することができる。従って、図１０に示すように、ユーザが液晶プロジェクタ１の前面部を抱えるようにして、解除ボタン８の操作と液晶プロジェクタ１の前面部の載置面３８への押し下げ操作とを行なうことにより、液晶プロジェクタ１の前面の高さを調整でき、図１１に示すように、載置面３８に対する液晶プロジェクタ１の長手方向の傾斜を適宜設定することが可能であるし、また、図１２（ａ），（ｂ）に示すように、液晶プロジェクタ１の載置面３８がこの液晶プロジェクタ１の幅方向に傾斜していても、夫々の姿勢調整用脚１１の液晶プロジェクタ１からの突出高さを上記のように調整することにより、姿勢調整用脚１１の幅方向の姿勢を水平に調整することができる。
【００６９】
図１３は本発明による液晶プロジェクタの第２の実施形態を示す斜視図であって、同図（ａ）は使用状態、同図（ｂ）は不使用状態であり、３ｄはケース３の前面、３ｅはケース３の側面、３９は切欠部、３９ａは上段部、４０は嵌合部、４０ａは前端面、４０ｂが上端面である。また、前出図面に対応する部分には同一符号を付けて重複する説明を省略する。
【００７０】
図１３（ａ）において、ケース３は、その前面３ｄから所定の長さＲにわたって、一方の側面３ｅの下部（例えば、下半分）から底面を通して他方の側面３ｅの下部まで切り欠かれており、これによって側面３ｅに長さＲ，高さｈの切欠部３９が形成されている。また、装置本体２には、この前面２ａから上記の長さＲ，高さｈの嵌合部４０が一体に設けられている。この嵌合部４０は装置本体２の一方の側面２ｃから底面を通って他方の側面２ｃに至る形状をなし、この嵌合部４０の一方の前端面４０ａが装置本体２の前面２ａとほぼ一致している。
【００７１】
装置本体２の側面２ｃに固定された嵌合部４０の側面部はケース３の側面３ｅの切欠部３９に嵌合しており、ケース３に対する装置本体２の移動とともに、この嵌合部４０の上端面４０ｂが切欠部３９の上段部３９ａを摺動する。そして、図示するように、装置本体２がケース３から引き出されて装置本体２の前面２ａ側がケース３の前面３ｄよりも突出した図示の状態（即ち、液晶プロジェクタ１の使用状態）にあるときには、ケース３の切欠部３９が開放されるが、図１３（ｂ）に示すように、装置本体２がケース３内に収納されて装置本体２の前面２ａがケース３の前面３ｄとほぼ一致した状態（即ち、液晶プロジェクタ１の不使用状態）にあるときには、ケース３の切欠部３９が装置本体２の嵌合部４０によって塞がれる。従って、この嵌合部４０は、装置本体２に対し、ケースの一部としての機能も有している。
【００７２】
かかる液晶プロジェクタ１において、装置本体２の底面の、図７で示す吸気口１６ｂに相当する位置に吸気口（図示せず）が設けられており、図１３（ｂ）に示す液晶プロジェクタ１が不使用状態にあって、ケース３の切欠部３９が装置本体２の嵌合部４０によって塞がれている場合には、この吸気口がケース３の切欠部４０よりも奥の位置にあり、ケース３の底面によって塞がれることになる。これに対し、液晶プロジェクタ２が図１３（ａ）に示す使用状態にあるときには、装置本体２の底部の吸気口がケース３の切欠部４０の位置まで引き出されることになり、このとき、切欠部４０は開放されるので、吸気口が開放されることになる。
【００７３】
このようにして、この第２の実施形態においても、装置本体２の底面に設けられた吸気口は、使用するときには、開放され、使用しないときには、ケース３によって塞がれる。また、これ以外の構成は先の第１の実施形態と同様であり、この第２の実施形態においても、先の第１の実施形態と同様の効果が得られる。
【００７４】
図１４は本発明による液晶プロジェクタ１の第３の実施形態を示す斜視図であって、４１はケース部であり、前出図面に対応する部分には同一符号を付けて重複する説明を省略する。
【００７５】
同図において、この第３の実施形態は、図１に示す第１の実施形態に対し、装置本体２の側面２ｃに投写レンズ４を配置し、また、この装置本体３の前面部側に、ケース３と厚さ及び幅が等しいケース部４１を設けたものである。
【００７６】
図示する状態は液晶プロジェクタ１の使用状態であり、ケース３をケース部４１側に（即ち、矢印Ａ方向に）押すことにより、装置本体２がケース３内に押し込まれ、ケース３がケース体４１に当接した状態で装置本体２がケース３とケース本体４１とによって封鎖されることになる。この状態が不使用状態である。
【００７７】
また、かかる不使用状態でケース３をケース部４１に対して矢印Ｂ方向に引っ張ると、ケース３内から装置本体２が引き出され、図示する使用状態となる。この装置本体２のケース３から突出した上面２ｂには、図１（ａ）に示すような操作キー６やレンズ摘み７などが設けられ、ケース部４１の上面にスタートボタン５が設けられている。
【００７８】
上記以外の構成は、さきに説明した第１の実施形態と同様であり、この第３の実施形態も、第１の実施形態と同様の効果が得られる。
【００７９】
図１５は本発明の液晶プロジェクタの第４の実施形態を示す斜視図であって、４２はダクト、４３は排出用通風孔であり、また、図８と同様、１ａは液晶プロジェクタ１の前面、１ｂは同じく上面、１ｃは同じく側面であり、前出図面に対応する部分には同一符号を付けている。
【００８０】
この第４の実施形態は、先の第１〜第３の実施形態のようなケースと装置本体とからなるものではなく、１つの筐体からなり、これにこの筐体に内蔵の送風ファンと排気用通風孔との間の間隔を拡大する手段（以下、間隔拡大手段という）を設けたものである。
【００８１】
図１５（ａ）に示すこの第４の実施形態の構成は、液晶プロジェクタ１の筐体の上面１ｂにダクト４２からなる間隔拡大手段を設けたものである。このダクト４２は、その開口が液晶プロジェクタ１の筐体の前面１ａ側を向いているものであり、このダクト４２の上面４２ａがこの筐体の前面１ａから離れるほど下がるように傾斜している。ここでは、液晶プロジェクタ１の筐体の上面１ｂの背面１ｃ側に開口が設けられ、この開口がダクト４２に連通している。従って、送風ファン（図示せず）から排出用通風孔４３までの距離は、この開口から排出用通風孔４３までの距離分、先の実施形態よりも長くなっている。
【００８２】
ここで、このダクト４２は、筐体の上面１ｂに固定されたものであってもよいが、液晶プロジェクタ１の不使用時、筐体内に押し込むことができるようにすることもできる。この押し込まれたときのダクト４２の上面４２ａは筐体の上面１ｂと同一平面上となり、また、この不使用時、図示しないスタートボタンを操作することにより、使用状態となるが、かかる操作により、ダクト４２が、図示するように、筐体から飛び出して排気用風路を形成するようにする。
【００８３】
図１５（ｂ）はかかるダクト４２からなる間隔拡大手段を液晶プロジェクタ１の側面１ｄに設けたものであって、図１５（ａ）に示す構成と同様のものである。
【００８４】
かかる第４の実施形態によると、使用時，不使用時ともに小型の状態としながら、送風ファンと排出用通風孔４３との間隔を大きくでき、しかも、この排気用通風孔４３をスクリーン側には位置することができるから、騒音を効果的に抑制することができる。また、ダクト４２を筐体内に押し込むことができるように構成することにより、不使用時での湿気や埃などの筐体内への侵入を防止することができる。
【００８５】
なお、図１５（ａ），（ｂ）において、ダクト４２内に消音材を設けることにより、さらに騒音効果を低減できる。
【００８６】
図１６は本発明の液晶プロジェクタの第５の実施形態を示す斜視図であって、４４は支持脚、４５は開口であり、前出図面に対応する部分には同一符号を付けている。
【００８７】
先に示した各実施形態は、テーブルの面などの載置面上に筐体を横にして載置し、使用するものであって、筐体が装置本体２とケース３とから構成される第１〜第３の実施形態では、装置本体２に対してケース３を載置面に平行に移動させるものであったが、この第５の実施形態は、筐体を縦にして載置し、使用するものである。
【００８８】
図６において、装置本体２とケース３とからなる筐体は、縦長の状態で図示しないテーブル面などに載置されて使用される。装置本体２の底面側には支持脚４４が設けられており、この支持脚４４が載置面（図示せず、）に置かれる。液晶プロジェクタ１が不使用状態のときには、この支持脚４４を除いて装置本体２の全体がケース３内に収納されており、この筐体が載置面上に置かれて、例えば、ケース３の上面３ｂや側面３ｅなどに設けられた図示しないスタートボタンが操作されると、装置本体２に対してケース３が所定距離だけ上昇（矢印Ｅ方向）する。この距離上昇した状態でケース３が装置本体２に対してロックされ、使用状態となる。また、かかる使用状態でケース３をその上から押すと、ロックが外れてケース３は矢印Ｅ’方向に降下し、支持脚４４を除いて装置本体２の全体がケース３内に収納されたとき、ケース３は装置本体２に対してロックされた状態となる。これが液晶プロジェクタ１の不使用状態である。
【００８９】
ケース３の前面３ａの上方部には、開口４５が設けられており、液晶プロジェクタ１が使用状態となると、開口４５の中心軸が装置本体２に設けられた投写レンズ（図示せず）の光軸と一致し、この開口４５を介してスクリーン（図示せず）への映像の拡大投写が可能となる。また、図示しないが、図１に示すような操作キー６やレンズ摘み７などの操作手段は、ケース３の上面３ｂや側面３ｅなどに設けられている。
【００９０】
また、装置本体２での使用時にケース３から露出する支持脚４４に近い部分に、図示しないが、吸気口が設けられており、また、ケース３の上面３ｂや側面３ｅの上部に、図示しないが、排出用通風孔が設けられている。なお、装置本体２の上面（ケース３内にある）に排気孔が設けられているが、この排気孔はケース３に設けられている排出用通風孔と対向していない。液晶プロジェクタ１の不使用時には、この吸気口がケース３によって塞がれ、また、排出用通風孔も装置本体２の上面（図示せず）によって塞がれる。液晶プロジェクタ１の使用時には、吸気孔が開放されるとともに、ケース３に設けられた排出用通風孔は、ケース３が矢印Ｅ方向に上昇した分、さらに装置本体２の排気孔から離れることになる。
【００９１】
このようにして、この第５の実施形態も、先の各実施形態と同様に、不使用時には、小型にできて、かつ吸気孔や排気孔からの湿気や埃などの侵入を防止でき、使用時には、排出用通風孔からの騒音を低減することができる。
【００９２】
なお、吸気孔については、ケース３の前面３ａの下部に吸込用通風孔を設け、液晶プロジェクタ１が図示する使用状態にあるとき、この吸込用通風孔と一致するように、装置本体２の前面に設けることにより、不使用時には、この吸気孔をケースで塞ぐことができ、また、使用時でも、吸気孔はスクリーン側に向いているので、そこから出る騒音による影響を低減できる。
【図面の簡単な説明】
【００９３】
【図１】本発明による液晶プロジェクタの第１の実施形態を上面側からみた斜視図である。
【図２】図１に示す実施形態の底面側からみた斜視図である。
【図３】図１に示す実施形態の背面側からみた斜視図である。
【図４】図１に示す実施形態の上面側からみた平面図である。
【図５】図４の領域Ｐを拡大して示す図である。
【図６】図１における液晶プロジェクタの概略的な内部構成の一具体例を示す水平断面図  である。
【図７】図１に示す実施形態の使用時と不使用時とでのケース内における送風ファンの位置を比較して示す図である。
【図８】吸気方向と排気方向の他の具体例を模式的に示す斜視図である。
【図９】図２における姿勢調整用脚の取付機構の一具体例を示す斜視図である。
【図１０】図１に示す実施形態の姿勢を調整する方法の一具体例を概略的に示す図である。
【図１１】図１に示す実施形態の長手方向の姿勢を示す図である。
【図１２】図１に示す実施形態の載置面が幅方向に傾斜している場合の姿勢の調整状態を示す図である。
【図１３】本発明による液晶プロジェクタの第２の実施形態を示す斜視図である。
【図１４】本発明による液晶プロジェクタの第３の実施形態を示す斜視図である。
【図１５】本発明による液晶プロジェクタの第４の実施形態を示す斜視図である。
【図１６】本発明による液晶プロジェクタの第５の実施形態を示す斜視図である。
【符号の説明】
【００９４】
１  液晶プロジェクタ
２  装置本体
２ａ  装置本体２の前面
２ｂ  装置本体２の上面
２ｃ  装置本体２の側面
２ｄ  装置本体の底面
２ｅ  装置本体２の後部（背面側）
３  ケース
３ａ  ケース３の上面
３ｂ  ケース３の底面
３ｃ  ケース３の背面
４  投写レンズ
５  スタートボタン
６  操作キー
７  レンズ摘み
８  解除ボタン
９  くぼみ部
１０  排出用通風孔
１１  姿勢調整用脚
１２  基準脚
１３  吸込用通風孔
１４  開口
１５  貫通孔
１６ａ，１６ｂ  吸気口
２８  冷却手段の送風ファン
２９  本体固定部
２９ａ，２９ｂ  保持部
３０  貫通穴
３１  スクリューシャフト
３２  保持部材
３３  圧縮バネ
３４  ロック部材
３４ａ  係合部
３５  連結シャフト
３６  圧縮バネ
３７  保持部材
３８  載置面
３９  切欠部
４０  嵌合部
４１  ケース部
４２  ダクト
４３  排出用通風孔
４４  支持脚
４５  開口
【図１】
2005092098.tif 000003
【図２】
2005092098.tif 000004
【図３】
2005092098.tif 000005
【図４】
2005092098.tif 000006
【図５】
2005092098.tif 000007
【図６】
2005092098.tif 000008
【図７】
2005092098.tif 000009
【図８】
2005092098.tif 000010
【図９】
2005092098.tif 000011
【図１０】
2005092098.tif 000012
【図１１】
2005092098.tif 000013
【図１２】
2005092098.tif 000014
【図１３】
2005092098.tif 000015
【図１４】
2005092098.tif 000016
【図１５】
2005092098.tif 000017
【図１６】
2005092098.tif 000018